(57)【要約】【課題】演出性に富んだ照明器具を提供する。【解決手段】平面らせん形蛍光ランプ２０から発せられた光は、直接下方を照らす光及び反射板１６によって下方へ反射する光に加えて、導光部材３０を伝って、透過カバー１３の外側へ導かれる光を有し、演出性に富んだ光を照射することができる。【選択図】図１
2010009879.tif 000002
【特許請求の範囲】
【請求項１】
平面らせん形状をした発光管を有する平面らせん形蛍光ランプと、前記平面らせん形蛍光ランプを駆動させる点灯装置と、前記平面らせん形蛍光ランプの光線を反射する反射板と、前記平面らせん形蛍光ランプ及び前記点灯装置及び前記反射板を保持する器具本体と、前記器具本体に着脱可能に取り付けられる透過カバーと、を備えた照明器具であって、
前記透過カバーに外周面から突出する板状の導光部材を設けたことを特徴とする照明器具。
【請求項２】
前記導光部材が、前記平面らせん形蛍光ランプを含む平面の近傍に取り付けられていることを特徴とする請求項１記載の照明器具。
【請求項３】
平面らせん形状をした発光管を有する平面らせん形蛍光ランプと、前記平面らせん形蛍光ランプを駆動させる点灯装置と、前記平面らせん形蛍光ランプの光線を反射する反射板と、前記平面らせん形蛍光ランプ及び前記点灯装置及び前記反射板を保持する器具本体と、前記器具本体に着脱可能に取り付けられる透過カバーと、を備えた照明器具であって、
前記平面らせん形蛍光ランプと前記反射板との間に、前記透過カバーの外側まで突出する平板状の導光部材を設けたことを特徴とする照明器具。
【発明の詳細な説明】
【技術分野】
【０００１】
本発明は、平面らせん形状をした発光管を有する平面らせん形蛍光ランプに関するものである。
【背景技術】
【０００２】
従来より、平面らせん形蛍光ランプを用いる照明器具が知られている（例えば特許文献１参照）。
図６に示すように、特許文献１に記載の照明器具１００では、箱型に形成される器具本体１０１と、この器具本体１０１内に収納される点灯装置１０２と、器具本体１０１の外面に形成される平坦な反射面１０３に装着される平面ランプ１０４と、この平面ランプ１０４と器具本体１０１を覆う透過カバー１０５を有している。
【特許文献１】特開２００７−３８５６３号公報（第１図）
【発明の開示】
【発明が解決しようとする課題】
【０００３】
従って、前述した特許文献１に記載の照明器具１００においては、平面ランプ１０４の下面側から照射された光Ｌ１及び、外周面から照射された光Ｌ２は、透過カバー１０５を通って直接照明器具１００の外部に照射される。また、平面ランプ１０４の外周部に近い上面側から照射された光Ｌ３は、平面ランプ１０４から上方へ照射され、反射面１０３に当たって下方へ反射し、照明器具１００の外部に放射される。
このため、平面ランプ１０４からの直接光と、反射板１０３からの反射光による光のため、器具の発光部分が少なく平凡であり、演出性に乏しいという問題があった。
【０００４】
本発明は、従来の問題を解決するためになされたもので、演出性に富んだ照明器具を提供することを目的とする。
【課題を解決するための手段】
【０００５】
本発明の照明器具は、平面らせん形状をした発光管を有する平面らせん形蛍光ランプと、前記平面らせん形蛍光ランプを駆動させる点灯装置と、前記平面らせん形蛍光ランプの光線を反射する反射板と、前記平面らせん形蛍光ランプ及び前記点灯装置及び前記反射板を保持する器具本体と、前記器具本体に着脱可能に取り付けられる透過カバーと、を備えた照明器具であって、前記透過カバーに外周面から突出する板状の導光部材を設けた構成を有している。
【０００６】
この構成により、平面らせん形蛍光ランプから発せられた光は、直接下方を照らす光及び反射板によって下方へ反射する光に加えて、導光部材を伝って、透過カバーの外側へ導かれる光を有し、演出性に富んだ光を照射することができる。
【０００７】
また、本発明の照明器具は、前記導光部材が、前記平面らせん形蛍光ランプを含む平面の近傍に取り付けられている構成を有している。
【０００８】
この構成により、平面らせん形蛍光ランプの外周側から発せられた光は、直接導光部材の端面から入射するので、導光部材に導かれる光の量が多くなる。
【０００９】
さらに、本発明の照明器具は、平面らせん形状をした発光管を有する平面らせん形蛍光ランプと、前記平面らせん形蛍光ランプを駆動させる点灯装置と、前記平面らせん形蛍光ランプの光線を反射する反射板と、前記平面らせん形蛍光ランプ及び前記点灯装置及び前記反射板を保持する器具本体と、前記器具本体に着脱可能に取り付けられる透過カバーと、を備えた照明器具であって、前記平面らせん形蛍光ランプと前記反射板との間に、前記透過カバーの外側まで突出する平板状の導光部材を設けた構成を有している。
【００１０】
この構成により、導光部材を平面らせん形蛍光ランプと反射版との間に設けたので、平面らせん形蛍光ランプから反射板側へ照射される光が導光部材に浸入し、導光部材を伝って透過カバーの外側へ導かれるので、演出性に富んだ光を照射することができる。
【発明の効果】
【００１１】
本発明は、平面らせん形蛍光ランプから発せられた光は、直接下方を照らす光及び反射板によって下方へ反射する光に加えて、導光部材を伝って、透過カバーの外側へ導かれる光を有し、演出性に富んだ光を照射することができるという効果を有する照明器具を提供することができるものである。
【発明を実施するための最良の形態】
【００１２】
以下、本発明の実施の形態の照明器具について、図面を用いて説明する。
図１（ａ）は本発明の第１実施形態にかかる照明器具の断面図、図１（ｂ）は下方から見た平面図、図２（ａ）は平面らせん形蛍光灯の平面図、図２（ｂ）は平面らせん形蛍光ランプの側面図、図３は導光部材に入射する光の説明図、図４は導光部材から照射される光の説明図である。
【００１３】
図１（ａ）及び（ｂ）に示すように、本発明にかかる照明器具１０は、被取付部としての例えば天井１１に取り付けられる円筒状の器具本体１２を有しており、器具本体１２には、透明または半透明の樹脂性の透過カバー１３が着脱可能に取り付けられている。なお、器具本体１２には点灯装置１４が収納されている。
【００１４】
器具本体１２の下面には、例えば平板状の反射板１６が設けられており、反射板１６の外周端１６ａには、下方に向かって拡径する円錐状の第２反射板１７が設けられている。また、反射板１６の外周部には、一対のランプソケット１５，１５が設けられており、ランプソケット１５の近傍には、平面らせん形蛍光ランプ２０を保持するための一対のランプ保持バネ（図示省略）が設けられている。
【００１５】
図２に示すように、平面らせん形蛍光ランプ２０は、一連の屈曲ガラス管からなる発光管２１が、管中央部２１ａを中心として略一平面上で渦巻状に旋回された二重渦巻き形状となっている。発光管２１の両端部には口金２２が設けられており、口金２２には上下一対のランプピン２３，２３が、突出して設けられている。このランプピン２３をランプソケット１５に装着することにより、駆動電力を得ることができる。また、両口金２２、２２間には、発光管２１を保持するブリッジ２４が設けられている。
【００１６】
前述した透過カバー１３は、第２反射板１７の下端部１７ａに取り付けられる。また、第２反射板１７の下端部１７ａには、リング状の平板である導光部材３０が取り付けられている。なお、導光部材３０は、第２反射板１７に取り付けることができるが、透過カバー１３に取り付けておくことも可能である。あるいは、第２反射板１７と透過カバー１３の間に挟んで固定することも可能である。
【００１７】
図３に示すように、導光部材３０は、平面らせん形蛍光ランプ２０を含む平面の近傍に取り付けられているのが望ましい。これにより、平面らせん形蛍光ランプ２０の外周側から発せられた光Ｌ１は、直接導光部材３０の端面から入射するので、導光部材３０に導かれる光の量が多くなる。なお、平面らせん形蛍光ランプ２０から上方に照射された光は、反射板１６によって反射して導光部材３０に入射する光Ｌ２や、反射して下方へ照射される光Ｌ３がある。
【００１８】
導光部材３０は、例えば、ガラスやアクリル等の透光性材質を用いて形成することができる。また、図４に示すように、導光部材３０から外部に照射される光を、上方に出射したり、下方に出射したり、あるいは上下両方に出射させることにより、所望の光り方をさせるために、導光部材３０の表面を粗面加工して乱反射を起こさせるようにすることが望ましい。また、導光部材３０の内周面（すなわち、光の入り口）を着色して、導光部材３０に入射した光に、色を付けるようにすることも可能である。着色は、１種類の色や、多数色とすることができる。
【００１９】
以上、説明した本発明の第１実施形態にかかる照明器具１０では、平面らせん形蛍光ランプ２０から発せられた光は、直接下方を照らす光及び反射板１６によって下方へ反射する光に加えて、導光部材３０を伝って透過カバー１３の外側へ導かれる光を有するので、演出性に富んだ光を照射することができる。
【００２０】
次に、本発明の第２実施形態について説明する。
図５は本発明の第２実施形態にかかる照明器具の断面図である。なお、前述した第１実施形態にかかる照明器具と共通する部位には同じ符号を付して、重複する説明を省略することとする。
【００２１】
図５に示すように、本発明の第２実施形態にかかる照明器具１０Ｂでは、平面らせん形蛍光ランプ２０と反射板１６との間に、透過カバー１３の外側まで突出する平板状の導光部材３０Ｂを設けたものである。導光部材３０Ｂの平面らせん形蛍光ランプ２０側表面には、例えば楔状の断面形状をした切込み３１を設けて、平面らせん形蛍光ランプ２０からの光が導光部材３０Ｂの内部に浸入し易くするのが望ましい。切込み３１は、平面らせん形蛍光ランプ２０の上方に相当する範囲内に、平面らせん形蛍光ランプ２０の中心を中心とした複数個の同心円状に設けることができる。
【００２２】
従って、導光部材３０Ｂを照明器具１０Ｂの全面及びその周囲に突出して設けたので、平面らせん形蛍光ランプ２０から上方へ照射された光Ｌ４は、全て反射板で反射される前に導光部材３０Ｂに入射するので、透過カバー１３の外側に突出している導光部材３０Ｂに光が伝達される。
【００２３】
以上、説明した本発明の第２実施形態にかかる照明器具１０Ｂでは、前述した第１実施形態にかかる照明器具１０と同様に、演出性に富んだ光を照射することができる。さらに、照明器具１０Ｂでは、平面らせん形蛍光ランプ２０と反射板１６との間の全面にわたって導光部材３０Ｂを設けたので、導光部材３０Ｂに入射する光の量が多くなり、一層、演出性に富んだ光を照射することができる。
【００２４】
なお、本発明の照明器具は、前述した各実施形態に限定されるものでなく、適宜な変形，改良等が可能である。
【図面の簡単な説明】
【００２５】
【図１】（ａ）は本発明の第１実施形態にかかる照明器具の断面図、（ｂ）は下方から見た平面図
【図２】（ａ）は平面らせん形蛍光灯の平面図、（ｂ）は平面らせん形蛍光ランプの側面図
【図３】導光部材に入射する光の説明図
【図４】導光部材から照射される光の説明図
【図５】本発明の第２実施形態にかかる照明器具の断面図
【図６】従来の照明器具の一部を示す拡大断面図
【符号の説明】
【００２６】
１０、１０Ｂ  照明器具
１２  器具本体
１３  透過カバー
１４  点灯装置
１６  反射板
２０  平面らせん形蛍光ランプ
２１  発光管
３０、３０Ｂ  導光部材
【図１】
2010009879.tif 000003
【図２】
2010009879.tif 000004
【図３】
2010009879.tif 000005
【図４】
2010009879.tif 000006
【図５】
2010009879.tif 000007
【図６】
2010009879.tif 000008